(57)【要約】【課題】  部品点数および組付工数を減らしてコストを抑えると共に、飲料容器を保持した状態でのシャッターの操作性を向上し得るようにする。【解決手段】  上端に開口部３を有する有底のカップホルダ本体４と、カップホルダ本体４の上縁部に沿って移動可能に取付けられた上縁部材５とを有し、カップホルダ本体４が、内部へ温冷風を吹出す温冷風吹出口２５を有すると共に、上縁部材５が、上記移動によって温冷風吹出口２５を開閉可能なシャッター部２６を有するようにしている。【選択図】        図２
2007030844.tif 000002
【特許請求の範囲】
【請求項１】
上端に開口部を有する有底のカップホルダ本体と、該カップホルダ本体の上縁部に沿って移動可能に取付けられた上縁部材とを有し、
前記カップホルダ本体が、内部へ温冷風を吹出す温冷風吹出口を有すると共に、
前記上縁部材が、上記移動によって温冷風吹出口を開閉可能なシャッター部を有することを特徴とする車両用カップホルダ装置。
【請求項２】
前記上縁部材が、温冷風の周方向への廻り込みを促進可能とすると共に温冷風の上方への抜けを防止可能なガイド板を有することを特徴とする請求項１記載の車両用カップホルダ装置。
【請求項３】
前記カップホルダ本体が、複数種類の飲料容器の底部を載置保持可能であると共に、少なくとも一部の飲料容器の底部を部分的に浮遊保持可能な多段の底部保持部を有することを特徴とする請求項１または２記載の車両用カップホルダ装置。
【発明の詳細な説明】
【技術分野】
【０００１】
この発明は、車両用カップホルダ装置に関するものである。
【背景技術】
【０００２】
自動車などの車両には、車室内にカップホルダ装置が備えられている。このようなカップホルダ装置には、空調装置からの温冷風によって飲料容器を保温・保冷し得るようにしたものが存在している（例えば、特許文献１参照）。
【０００３】
この文献に記載されたカップホルダ装置は、飲料容器に対する保温・保冷を行わない場合に、温冷風の吹出しを停止するためのシャッターを備えている。このシャッターは、上下にスライドする構造を備えている。
【特許文献１】特開２００４−２９９５５１号公報
【発明の開示】
【発明が解決しようとする課題】
【０００４】
しかしながら、上記特許文献１に記載されたカップホルダ装置では、温冷風の吹出しをオン・オフするためのシャッターを上下にスライドさせる構造としていたので、部品点数が多くなり組付工数が増加してコストが高くなると共に、飲料容器を保持した状態では、シャッターが飲料容器によって隠されてしまうので、シャッターの操作性が悪いという問題があった。また、シャッターの配置に対するスペース性・レイアウト性が良くなかった。
【課題を解決するための手段】
【０００５】
上記課題を解決するために、請求項１に記載された発明では、上端に開口部を有する有底のカップホルダ本体と、該カップホルダ本体の上縁部に沿って移動可能に取付けられた上縁部材とを有し、前記カップホルダ本体が、内部へ温冷風を吹出す温冷風吹出口を有すると共に、前記上縁部材が、上記移動によって温冷風吹出口を開閉可能なシャッター部を有する車両用カップホルダ装置を特徴としている。
【０００６】
請求項２に記載された発明では、前記上縁部材が、温冷風の周方向への廻り込みを促進可能とすると共に温冷風よりも上方への抜けを防止可能なガイド板を有する車両用カップホルダ装置を特徴としている。
【０００７】
請求項３に記載された発明では、前記カップホルダ本体が、複数種類の飲料容器の底部を載置保持可能であると共に、少なくとも一部の飲料容器の底部を部分的に浮遊保持可能な多段の底部保持部を有する車両用カップホルダ装置を特徴としている。
【発明の効果】
【０００８】
請求項１の発明によれば、上端に開口部を有する有底のカップホルダ本体と、該カップホルダ本体の上縁部に沿って移動可能に取付けられた上縁部材とを有し、前記カップホルダ本体が、内部へ温冷風を吹出す温冷風吹出口を有すると共に、前記上縁部材が、上記移動によって温冷風吹出口を開閉可能なシャッター部を有するようにしたことにより、部品点数および組付工数を減らしてコストを抑えると共に、飲料容器を保持した状態でのシャッターの操作性を向上することができる。また、シャッターの配置に対するスペース性・レイアウト性を向上することができる。
【０００９】
請求項２の発明によれば、上縁部材がガイド板を有することにより、温冷風の周方向への廻り込みを促進すると共に温冷風の上方への抜けを防止することができる。これにより、保温・保冷効果を高めることが可能となる。
【００１０】
請求項３の発明によれば、前記カップホルダ本体の多段の底部保持部により、フラップなどの補助部品を設けることなく複数種類の飲料容器をそれぞれ安定して保持することができる。また、上記多段の底部保持部により、少なくとも一部の飲料容器の底部を部分的に浮遊保持することができるため、その飲料容器の底部にも温冷風を当てることが可能となり、保温・保冷効果を一層高めることが可能となる。
【発明を実施するための最良の形態】
【００１１】
部品点数および組付工数を減らしてコストを抑えると共に、飲料容器を保持した状態でのシャッターの操作性を向上し得るようにするという目的を、上端に開口部を有する有底のカップホルダ本体と、カップホルダ本体の上縁部に沿って移動可能に取付けられた上縁部材とを有し、カップホルダ本体が、内部へ温冷風を吹出す温冷風吹出口を有すると共に、上縁部材が、上記移動によって温冷風吹出口を開閉可能なシャッター部を有する、という手段で実現した。
【実施例】
【００１２】
以下、本発明を具体化した実施例について、図示例と共に説明する。
【００１３】
図１〜図１１は、この発明の実施例を示すものである。
【００１４】
まず、構成を説明すると、自動車などの車両における車室内に、図１、図２に示すようなカップホルダ装置１を設ける。このカップホルダ装置１を、空調装置からの温冷風によって、保持した飲料容器２を保温・保冷し得るものとする。そのために、例えば、カップホルダ装置１を、インストルメントパネルのベンチレータグリルの近傍部分に設置する。
【００１５】
この実施例のカップホルダ装置１は、上端に開口部３を有する有底のカップホルダ本体４と、カップホルダ本体４の上縁部（開口縁部）に沿って移動可能に取付けられた上縁部材５とを有している。
【００１６】
ここで、図３〜図５に示すように、カップホルダ本体４は、ほぼ円筒状または長円筒状の胴部６を有している。カップホルダ本体４の上部には、段差部７を介して、口径の広い大径受部８が設けられている。この大径受部８は、内周面が平面視ほぼ円筒状または円錐状となるように形成されている。段差部７は、胴部６と大径受部８との間に形状の違いがあった場合でも、うまくつなぎ得るような形状とされている。この場合、胴部６が複雑形状を呈しているので、段差部７は、手前側が開いた平面視ほぼ三日月形状或いは馬蹄形状を呈している。
【００１７】
なお、図２に示すように、胴部６の軸線がほぼ上下方向へ向けられているのに対し、段差部７および大径受部８は、軸線が手前側に傾いた傾斜形状を呈している。そのために、大径受部８の上縁部には、奥側の高さレベルを下げるべく所要の段差部８ａが形成されている。
【００１８】
一方、上縁部材５は、図６に示すように、全体としてほぼリング状を呈しており、大径受部８の内側へ差込んで周方向へ摺接回動可能なほぼ円筒状または円錐状の筒状部１２と、この筒状部１２の上縁部に設けられて、カップホルダ本体４の段差形状を有する上縁部を上方から覆い隠すことのできるフランジ状の折返縁部１３とを有している。なお、上縁部材５の手前側の下部には、カップホルダ本体４の大径受部８との干渉を防止するなどのための所要の座繰部５ａが形成されている。
【００１９】
そして、図３〜図５に示すように、カップホルダ本体４の大径受部８や段差部７などには、周方向へ延びるスライド孔１４が数箇所形成されている。この場合、スライド孔１４は、３箇所形成されている（スライド孔１４ａ〜１４ｃ）。また、図６に示すように、上縁部材５の下縁部からは、各スライド孔１４ａ〜１４ｃに嵌合可能な嵌合爪部１５（１５ａ〜１５ｃ）がそれぞれ突設されている。各嵌合爪部１５は、スライド孔１４に対し、周方向には移動可能で且つ上下方向には係止可能に嵌合するものである。なお、この場合、嵌合爪部１５ａは、上縁部材５の手前側部分に設けられてほぼ水平方向へ延びる先掛用の突片、嵌合爪部１５ｂ，ｃは、上縁部材５の奥側部分に設けられてほぼ下方へ延びる後嵌め用の爪片とされている。これに対応させて、スライド孔１４ａは、水平方向へ向けて開口され、スライド孔１４ｂ，ｃは下方へ向けて開口されている。
【００２０】
各スライド孔１４は、嵌合爪部１５の着脱位置１６と、シャッター閉位置１７と、シャッター開位置１８とを画成するため、嵌合爪部１５の幅寸法のほぼ３倍の長さを有している。着脱位置１６は、他の部分よりも間口が広く形成されている。そして、図７に示すように、少なくともスライド孔１４ａにおける着脱位置１６とシャッター閉位置１７との間、および、シャッター閉位置１７とシャッター開位置１８との間には、嵌合爪部１５ａを移動した時の節度感を出すためのストッパーリブ１９，２０が設けられている。また、図６に示すように、上縁部材５の下縁部の嵌合爪部１５を避けた位置などには、段差部７と線接触可能な摺動用のガイドリブ２１が突設されている。
【００２１】
そして、図２に示すように、カップホルダ本体４は、内部へ温冷風を吹出す温冷風吹出口２５を有すると共に、上縁部材５は、上記移動によって温冷風吹出口２５を開閉可能なシャッター部２６を有している。
【００２２】
ここで、カップホルダ本体４には、大径受部８の奥側の部分に、車両の空調ダクトまたは空調ダクトから分岐された温冷風ダクト３０（図８、図１０参照）と嵌合可能なダクト嵌合部２７が突設されており、このダクト嵌合部２７の軸心部に形成された貫通孔が温冷風吹出口２５となっている。そして、上縁部材５における、シャッター閉位置１７とした時に温冷風吹出口２５と対応する部分がシャッター部２６となっている。なお、温冷風吹出口２５は、大径受部８の他の部分よりも内方へ突出されており、これに対応して、シャッター部２６は、上縁部材５の他の部分よりも内側に凹設されている。上縁部材５における折返縁部１３の手前側の部分には、上縁部材５を移動させてシャッター部２６を開閉操作可能な開閉操作ノブ２８が形成されている。
【００２３】
また、上縁部材５は、温冷風の周方向への廻り込みを促進可能とすると共に、温冷風よりも上方への抜けを防止可能なガイド板３１を有している。
【００２４】
ここで、ガイド板３１は、図６に示すように、上縁部材５の下縁部に沿ってほぼ周方向に形成されている。ガイド板３１は、上縁部材５の内方に所要の突出幅で突出されている。このガイド板３１は、成形上の都合などにより嵌合爪部１５（１５ａ〜１５ｃ）の位置では不連続とされている。なお、ガイド板３１は、カップホルダ本体４に対する上縁部材５の組付状態で、温冷風吹出口２５とほぼ同一高さレベルの位置に配置されている。ただし、ガイド板３１の設置位置は、ここに限るものではない。また、ガイド板３１は、高さ方向に複数段設けるようにすることもできる。
【００２５】
更に、カップホルダ本体４は、複数種類の飲料容器２の底部を載置保持可能であると共に、少なくとも一部の飲料容器２の底部を部分的に浮遊保持可能な多段の底部保持部３５を有している。
【００２６】
ここで、飲料容器２には、例えば、図２に示すような、２５０ｍｌの細型缶飲料２ａ、３５０ｍｌの太型缶飲料２ｂおよび５００ｍｌのペットボトル２ｃ、主にファーストフードなどで使用されているＬサイズの飲料カップ２ｄなどが想定されている。
【００２７】
そして、図２、図３に示すように、カップホルダ本体４の底面は、細型缶飲料２ａをほぼ垂直状態で載置保持可能な細型缶飲料保持面３６を備えている。この細型缶飲料保持面３６は、細型缶飲料２ａの底面のほぼ全周を保持可能な平面視ほぼ円形状を呈している。
【００２８】
そして、この細型缶飲料保持面３６よりも一段高い位置に、太型缶飲料２ｂおよびペットボトル２ｃを、ほぼ垂直状態で載置保持可能な太型缶飲料等保持面３７を備えている。この太型缶飲料等保持面３７は、太型缶飲料２ｂの底面と細型缶飲料２ａの底面とを重ね合わせて、細型缶飲料２ａを奥側へズラせた場合の面積差に相当する、奥側が開いた平面視ほぼ三日月形状或いは馬蹄形状を呈している。この太型缶飲料等保持面３７は、太型缶飲料２ｂおよびペットボトル２ｃの底部の手前側および両側の周縁部を部分的に載置保持することにより、細型缶飲料保持面３６の上部空間と対応する部分（中心部および周縁部の奥側部分）を部分的に浮遊保持可能に構成されている。なお、太型缶飲料等保持面３７の両側部には、温冷風を細型缶飲料保持面３６の上部空間へ導入するための切欠部３９が適宜形成される。
【００２９】
更に、太型缶飲料等保持面３７よりも高い位置に、飲料カップ２ｄを手前側へ傾けた傾斜状態で載置保持可能な飲料カップ保持面４１を備えている。この飲料カップ保持面４１は、細型缶飲料保持面３６の奥側で且つ外側に沿って設けられた平面視ほぼ三日月形状を呈している。この飲料カップ保持面４１は、飲料カップ２ｄの底部の奥側の周縁部を部分的に載置保持することにより、細型缶飲料保持面３６および太型缶飲料等保持面３７の上部空間に対応する部分（中心部および周縁部の手前側部分）を部分的に浮遊保持可能に構成されている。また、これと対応して、上縁部材５の手前側の部分には、飲料カップ２ｄの手前側の側面を支持可能な飲料カップ側面支持部４２が設けられている。
【００３０】
なお、図５に示すように、カップホルダ本体４には、インストルメントパネルに対する取付部４５，４６が適宜設けられている。ここでは、取付部４５は爪部とされ、取付部４６はボス部とされている。
【００３１】
次に、この実施例の作用について説明する。
【００３２】
まず、カップホルダ本体４の上縁部に対して、上縁部材５を取付けることにより、カップホルダ装置１が組み立てられる。このカップホルダ装置１は、２部品で構成されるため、安価なものとなる。
【００３３】
そして、このカップホルダ装置１は、複数種類の飲料容器２の底部を最適且つ安定して載置保持することができる。即ち、例えば、細型缶飲料保持面３６によって、細型缶飲料２ａをほぼ垂直状態に載置保持することができる。また、太型缶飲料等保持面３７によって、太型缶飲料２ｂおよびペットボトル２ｃをほぼ垂直状態で載置保持することができる。更に、飲料カップ保持面４１および飲料カップ側面支持部４２によって、飲料カップ２ｄを手前側へ傾けた傾斜状態で載置保持することができる。この際、太型缶飲料２ｂおよびペットボトル２ｃや、飲料カップ２ｄなどは、底部が部分的に浮遊保持されることとなる。なお、底部を部分的に浮遊保持した状態であっても周縁部は保持されているので、安定保持となる。
【００３４】
また、このカップホルダ装置１は、空調装置からの温冷風によって、保持した飲料容器２を保温・保冷することができる。即ち、温冷風を吹出させる場合には、図９、図１０に示すように、上縁部材５の手前側の部分に設けた開閉操作ノブ２８を操作し、カップホルダ本体４の上縁部に沿って上縁部材５を移動（回動）させることにより、シャッター部２６が開かれる。反対に、温冷風の吹出しを停止させる場合には、図１１、図１２に示すように、上縁部材５の手前側の部分に設けた開閉操作ノブ２８を反対に操作し、カップホルダ本体４の上縁部に沿って上縁部材５を移動（回動）させることにより、シャッター部２６が閉じられる。このシャッター部２６の開閉により、温冷風が吹出しおよび停止され、飲料容器２の保温・保冷に利用される。
【００３５】
そして、この実施例によれば、上端に開口部３を有する有底のカップホルダ本体４と、カップホルダ本体４の上縁部に沿って移動可能に取付けられた上縁部材５とを有し、カップホルダ本体４が、内部へ温冷風を吹出す温冷風吹出口２５を有すると共に、上縁部材５が、上記移動によって温冷風吹出口２５を開閉可能なシャッター部２６を有するようにしたことにより、２部品構成とすることができるので、部品点数および組付工数を減らしてコストを抑えると共に、上縁部材５が保持した飲料容器２によって隠されてしまうことがないので、飲料容器２を保持した状態でのシャッターの操作性を向上することができる。また、シャッターの配置に対するスペース性・レイアウト性を向上することができる。
【００３６】
更に、上縁部材５がガイド板３１を有することにより、温冷風の周方向への廻り込みを促進すると共に温冷風よりも上方への抜けを防止することができる。これにより、保温・保冷効果を高めることが可能となる。しかも、ガイド板３１を温冷風吹出口２５とほぼ同一高さレベルの位置に配置したことにより、温冷風を確実且つ効率良くカップホルダ本体４の底部へ導くことが可能となり、温冷風が少なくても保温・保冷効果を最大限に高めることが可能となる。
【００３７】
しかも、カップホルダ本体４の多段の底部保持部３５により、フラップなどの補助部品を設けることなく複数種類の飲料容器２をそれぞれ安定して保持することができる。また、上記多段の底部保持部３５により、少なくとも一部の飲料容器２の底部を部分的に浮遊保持することができるため、その飲料容器２の底部にも温冷風を当てることが可能となり、保温・保冷効果を一層高めることが可能となる。この際、太型缶飲料等保持面３７の両側部に形成された切欠部３９を介して、温冷風が細型缶飲料保持面３６の部分へ導入されることにより、浮遊保持された飲料容器２の底部を温冷風で効率良く保温・保冷させることが可能となる。
【００３８】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００３９】
【図１】本発明の実施例にかかる車両用カップホルダ装置の斜視図である。
【図２】図１の垂直断面図である。
【図３】図１のカップホルダ本体の平面図である。
【図４】図３を斜め上方から見た斜視図である。
【図５】図３を斜め下方から見た斜視図である。
【図６】図１の上縁部材を斜め下方から見た斜視図である。
【図７】図６の上縁部材の部分拡大図である。
【図８】図１の車両用カップホルダ装置のシャッター開時の作動状態を示す水平断面図である。
【図９】図８と同様の垂直断面図である。
【図１０】図１の車両用カップホルダ装置のシャッター閉時の作動状態を示す水平断面図である。
【図１１】図１０と同様の垂直断面図である。
【符号の説明】
【００４０】
２    飲料容器
３    開口部
４    カップホルダ本体
５    上縁部材
２５  温冷風吹出口
２６  シャッター部
３１  ガイド板
３５  底部保持部
【図１】
2007030844.tif 000003
【図２】
2007030844.tif 000004
【図３】
2007030844.tif 000005
【図４】
2007030844.tif 000006
【図５】
2007030844.tif 000007
【図６】
2007030844.tif 000008
【図７】
2007030844.tif 000009
【図８】
2007030844.tif 000010
【図９】
2007030844.tif 000011
【図１０】
2007030844.tif 000012
【図１１】
2007030844.tif 000013